(57)【要約】  本発明の対象は、顔料、その製造および使用、さらに該顔料で艶消しされた高分子材料、この高分子材料の製造法および使用である。【特許請求の範囲】
【請求項１】
ＴｉＯ2顔料において、該ＴｉＯ2顔料がアナターゼ変態で存在し、０．９〜１．２の範囲内の吸光値を有することを特徴とする、ＴｉＯ2顔料。
【請求項２】
吸光値が０．９５〜１．１の範囲内、有利に１．０〜１．０５の範囲内にある、請求項１記載のＴｉＯ2顔料。
【請求項３】
アンチモンイオンを含有する、請求項１または２記載のＴｉＯ2顔料。
【請求項４】
アンチモンイオンの含量が、０．０５〜１質量％、有利に０．１〜０．５質量％、特に有利に０．２５〜０．４質量％である、請求項１から３までのいずれか１項に記載のＴｉＯ2顔料。
【請求項５】
少なくとも５０％、有利に７０％を上廻る、特に有利に９０％を上廻るアンチモンイオンが、５価の酸化段階で存在する、請求項１から４までのいずれか１項に記載のＴｉＯ2顔料。
【請求項６】
付加的に表面処理に掛けられる、請求項１から５までのいずれか１項に記載のＴｉＯ2顔料。
【請求項７】
無機物質および／または有機物質の１つの層または複数の層で被覆されている、請求項１から６までのいずれか１項に記載のＴｉＯ2顔料。
【請求項８】
無機物質としてアルミニウム（Ａｌ）、珪素（Ｓｉ）、ジルコニウム（Ｚｒ）、マンガン（Ｍｎ）および／またはチタン（Ｔｉ）の化合物が使用されている、請求項１から７までのいずれか１項に記載のＴｉＯ2顔料。
【請求項９】
アルミニウム（Ａｌ）、珪素（Ｓｉ）およびマンガン（Ｍｎ）の化合物からなる組合せ物が使用されている、請求項１から８までのいずれか１項に記載のＴｉＯ2顔料。
【請求項１０】
Ａｌ０．２〜１．０％、Ｓｉ０〜１．０％およびＭｎ０．０５〜０．８％の量（使用されたＴｉＯ2基礎材料に対して陽イオンの質量％で記載された）が使用されている、請求項１から９までのいずれか１項に記載のＴｉＯ2顔料。
【請求項１１】
酸化段階＋２で５％を上廻る、特に有利に酸化段階＋２で１０％を上廻るマンガンが存在している、請求項１から１０までのいずれか１項に記載のＴｉＯ2顔料。
【請求項１２】
有機物質の１つの層または複数の層で被覆されている、請求項１から１１までのいずれか１項に記載のＴｉＯ2顔料。
【請求項１３】
無機物質としてポリグリコール（例えば、ポリエチレングリコールまたはポリプロピレングリコール、またはこれらからのコポリマー）、カルボン酸、カルボン酸のアルカリ金属塩、多価アルコール（例えば、トリメチロールプロパン、トリメチロールエタン、ペンタエリトリットまたはネオペンチルグリコール）、シラン、シロキサンおよびシロキサン誘導体、シリコーン油、ポリ燐酸塩のアルカリ金属塩、アミノアルコール、ポリ（メタ）アクリル酸の塩またはポリ（メタ）アクリレートコポリマー（例えば、ナトリウムポリアクリレート、カリウムポリアクリレートまたはアンモニウムポリアクリレート）またはこれらの混合物が使用されている、請求項１から１２までのいずれか１項に記載のＴｉＯ2顔料。
【請求項１４】
有機物質が０．０１〜８質量％、特に有利に０．０５〜４質量％、殊に有利に０．１〜１．５質量％の量で使用されている、請求項１から１３までのいずれか１項に記載のＴｉＯ2顔料。
【請求項１５】
請求項１から１４までのいずれか１項に記載のＴｉＯ2顔料の製造法において、
ａ）ＴｉＯ2をアナターゼ変性で望ましい吸光度に調節し、この場合には、結晶成長法（加水分解、灼熱塩処理および／またはか焼の処理工程）、粉砕（乾式粉砕または湿式粉砕）および／または分級（例えば、篩別または選別）に相応する方法で最適化し、
ｂ）場合によってはアンチモンイオンを添加しおよび／または
ｃ）場合によってはＴｉＯ2顔料を表面処理することを特徴とする、請求項１から１４までのいずれか１項に記載のＴｉＯ2顔料の製造法。
【請求項１６】
工程ｃ）で粉砕すべきＴｉＯ2材料の水性分散液を装入し、沈殿すべき化合物を最初に溶解された形で添加し、次に例えば苛性ソーダ液、硫酸または燐酸の添加によってｐＨ値を意図的に変化させ、望ましい物質を沈殿させる、請求項１５記載のＴｉＯ2顔料の製造法。
【請求項１７】
ＴｉＯ2粒子を、無機物質および／または有機物質の１つの層または複数の層で被覆する、請求項１５または１６に記載のＴｉＯ2顔料の製造法。
【請求項１８】
層を順次にかまたは同時に形成させる、請求項１５から１７までのいずれか１項に記載のＴｉＯ2顔料の製造法。
【請求項１９】
有機表面処理剤をか焼後に添加する、請求項１５から１８までのいずれか１項に記載のＴｉＯ2顔料の製造法。
【請求項２０】
有機表面処理剤を無機表面処理剤の施与後に添加する、請求項１５から１８までのいずれか１項に記載のＴｉＯ2顔料の製造法。
【請求項２１】
高分子材料を製造するための請求項１から１４までのいずれか１項に記載のＴｉＯ2顔料の使用。
【請求項２２】
顔料で艶消しされた高分子材料において、ポリエステル、ポリトリメチレンテレフタレート、ポリラクチド、ポリアミド、ポリオレフィン、ポリアクリルニトリル、ビスコースおよび／またはセルロースアセテートの群から選択された１つ以上の物質、および請求項１から１４までのいずれか１項に記載のＴｉＯ2顔料を含有することを特徴とする、顔料で艶消しされた高分子材料。
【請求項２３】
ＴｉＯ2顔料０．０２〜１０質量％を含有する、請求項２２記載の顔料で艶消しされた高分子材料。
【請求項２４】
合成繊維の使用分野でＴｉＯ2顔料０．０２〜１０質量％、有利に０．１〜３質量％、特に有利に０．１５〜０．４質量％を含有する、請求項２２または２３に記載の顔料で艶消しされた高分子材料。
【請求項２５】
ＴｉＯ2顔料１．５〜２．７質量％を含有する、請求項２４記載の顔料で艶消しされた高分子材料。
【請求項２６】
ポリマーフィルムまたはシートの使用分野でＴｉＯ2顔料０．０２〜１０質量％、有利に０．１〜８質量％、特に有利に０．４〜５質量％を含有する、請求項２２または２３に記載の顔料で艶消しされた高分子材料。
【請求項２７】
請求項２２から２６までのいずれか１項に記載の顔料で艶消しされた高分子材料の製造法において、顔料で艶消しされた高分子材料を製造するための自体公知の方法で請求項１から１４までのいずれか１項に記載のＴｉＯ2顔料を重合反応前、重合反応中および／または重合反応後に添加することを特徴とする、請求項２２から２６までのいずれか１項に記載の顔料で艶消しされた高分子材料の製造法。
【請求項２８】
ＴｉＯ2顔料をマスターバッチとして添加する、請求項２７記載の顔料で艶消しされた高分子材料の製造法。
【請求項２９】
合成繊維を製造するための請求項２２から２６までのいずれか１項に記載の顔料で艶消しされた高分子材料の使用。
【請求項３０】
織物表面を形成させるための請求項２２から２６までのいずれか１項に記載の顔料で艶消しされた高分子材料の使用。
【請求項３１】
フィルムおよび／またはシートを製造するための請求項２２から２６までのいずれか１項に記載の顔料で艶消しされた高分子材料の使用。
【請求項３２】
成形部材を製造するための請求項２２から２６までのいずれか１項に記載の顔料で艶消しされた高分子材料の使用。
【発明の詳細な説明】
【技術分野】
【０００１】
本発明の対象は、顔料、その製造および使用、さらに該顔料で艶消しされた高分子材料、この高分子材料の製造法および使用である。
【０００２】
艶消しされた合成繊維は、望ましい艶消し効果を達成するために、無機固体、特にＴｉＯ2（二酸化チタン）０．０３〜３質量％を含有する高分子材料である。合成ポリマーの均一な構造は、光に対して屈折または拡散反射の可能性を全く提供しないという理由で、ポリマー溶融液は、多少とも透明である。ＴｉＯ2の添加は、周知のように、脂ぎった光沢の減少、または合成繊維の透明度の減少ならびに他の加工プロセスでの合成繊維の走行特性の改善を可能にする表面構造を生じる。
【０００３】
合成繊維中の高いＴｉＯ2含量（ＴｉＯ2  １．５〜３質量％）は、目視的に知覚可能であり、ならびに柔らかな手触り（繊維の手触り）を知覚しうる特に顕著な艶消し効果を生じる。この合成繊維の形状は、合成繊維に強い綿花類似の外観像（綿様）を付与するためにしばしば望まれている。その上、このように構成されたフルダル繊維（Fuell Dull-Fasern）から製造された織物表面は、ＵＶ線に対して特に高い不透過性を有する。
【０００４】
合成繊維の光沢および透明度に対するＴｉＯ2顔料の影響と共に、ＴｉＯ2顔料は、種々の合成繊維の別の製造特性および製品特性に影響を及ぼす。この顔料に対する要件は、種々のポリマー型、方法および繊維品質で変動する。表面特性および顔料特性は、ＴｉＯ2格子中への異質イオンの組み込み、無機的および／または有機的な後処理の施与のような手段によって変化されうる。前記手段の正しい組合せにより、特殊な顔料は、全てのポリマーに対して最適化することができる。殊に、例えばエタンジオール、水またはポリマー溶融液のような使用媒体中での分散可能性および繊維中での次の顔料分布は、こうしてプラスに影響を及ぼしうる。
【０００５】
合成繊維の物理的性質および化学的性質と共に、合成繊維の品質を評価する場合には、光学的性質も重要な役を演じる。この場合には、殊に、不透明性の性質および色に関連する色の印象は、白と呼ばれることができる。現在、合成繊維の大抵の製造業者は、青色がかった白色を合成繊維製品のための色調として好む。繊維の前記の色調は、顔料の比色的性質、繊維中の顔料の分布および相応する合成繊維を製造するためのそれぞれの条件（例えば、温度および圧力）下での顔料表面と包囲するポリマーとの化学的相互作用によって影響を及ぼされる。
【０００６】
数多くの繊維製造業者によって好まれた、色調としての青色がかった白色は、現在の公知技術水準によれば、極めて制限されているかまたは十分には満たされていない。即ち、比色的に適したＴｉＯ2顔料（青色がかった白色を有する）の使用にも拘わらず、ポリマーの製造および加工の際の使用中に望ましくない反応が起こり、この反応は、合成繊維の色調を黄色がかった範囲に移行させる。
【０００７】
本発明の課題は、公知技術水準の欠点を克服することであった。殊に、本発明の課題は、ポリマーの製造および加工でＴｉＯ2顔料を使用する際に、通常、艶消しに必要とされる高いＴｉＯ2含量によって生じる望ましくない反応または高分子材料の製造の際に望ましくない色調の移行を惹起する望ましくない反応を全く触発しないかまたは僅かに触発するにすぎない適したＴｉＯ2顔料を提供し、また、本発明の課題は、ポリマーの製造および加工の際に望ましい青色がかった色調および／または特に高い光安定性を形成するＴｉＯ2顔料を提供することであった。
【０００８】
更に、本発明の課題は、高分子材料の製造の際に、通常、艶消しに必要とされるＴｉＯ2含量によって生じた望ましくない色調の移行を有しないかまたは僅かに有する、顔料で艶消しされた高分子材料、または望ましい青色がかった色調を示しかつ特に高い光安定性を有する、顔料で艶消しされた高分子材料を提供することであった。
【０００９】
この課題は、本発明によれば、適したＴｉＯ2顔料に関連して、意外なことに、独立請求項の特徴を有するＴｉＯ2顔料によって解決される。好ましい実施態様は、独立請求項に依存する従属請求項中に特徴付けられている。
【００１０】
前記の課題は、顔料で艶消しされた高分子材料に関連して、本発明によれば、意外なことに副次的独立請求項２２の特徴を有する、顔料で艶消しされた高分子材料によって解決される。好ましい実施態様は、副次的独立請求項に依存する従属請求項中に特徴付けられている。
【００１１】
意外なことに、顔料で艶消しされた高分子材料の帯青色に関連して特徴を示す光学的性質を達成させるために、顔料の比色的性質だけを調節しなければならないのではなく、同時にポリマー製造中の色調の移行を回避させるために対抗措置を講じなければならないことが見出された。
【００１２】
純粋に白色の物質の場合には、実際に、入射する全ビームは、１００％が直接反射するかまたは拡散反射し、即ち反射される。しかし、この理想的状態（反射率１００％を有する理想的な白）は、実際には達成することができない。それというのも、達成可能な白は、極めて僅かであっても、全スペクトルに亘って吸収を有するからである。ＴｉＯ2の場合には、反射は、吸収端の状態によっても影響を及ぼされる。この吸収端は、ＵＶ領域内にあるが、しかし、既に可視領域内で開始する。この場合、ルチル型のＴｉＯ2顔料は、アナターゼ型のＴｉＯ2顔料と比較して黄色がかっている。それというのも、このルチル型のＴｉＯ2顔料は、"青"の波長領域内でよりいっそう強く吸収し、それによってこのルチル型のＴｉＯ2顔料の反射された光は、黄色のよりいっそう高い割合を有するからである。即ち、アナターゼ型の吸収端は、ルチル型の吸収端と比較して短波長の領域内に移行する。それに加えて、白色顔料は、選択的な吸収を短波長の可視波長領域内で示し、このことは、多少とも僅かな色刺激（黄刺激）を生じる。この選択的な吸収は、異質イオン、例えば鉄イオン、クロムイオン、銅イオンまたはバナジウムイオンによる白色顔料の汚染の原因を有しうる。従って、顔料の本発明による望ましい光学的性質を調節するために、好ましくはＴｉＯ2は、アナターゼ変態で使用される。これは、とにかく可視スペクトルの短波長領域内で前記の選択的な吸収を生じるであろう異質イオンが少ない。
【００１３】
更に、殊にＴｉＯ2中の微細粒子の割合は、よりいっそう高い反射率のために短波長の可視領域内で強化された青刺激を生じる。この割合が高ければ高いほど、水性ＴｉＯ2懸濁液（２５ｍｇ／ｌ）の測定された吸光度（フィルターＨｇ４９２ｎｍ、キュベット２０ｍｍ）は、ますます高くなる。従って、本発明により使用可能なＴｉＯ2顔料は、顔料の比色的性質を調節するための特殊な粒子分布を示し、吸光値によって表わされる。顔料の適した比色的性質に調節するために、本発明によれば、吸光度は、０．９〜１．２の範囲内、有利に０．９５〜１．１の範囲内、特に有利に１．０〜１．０５の範囲内に調節される。この種の本発明により選ばれた顔料は、意外なことに、別の粉末特性、例えば不透明性および散乱能に不利な影響を及ぼさない。ＴｉＯ2の適した吸光度は、本発明によれば、例えば最適化された結晶成長法（加水分解、灼熱塩処理および／またはか焼の処理工程によって影響を及ぼされかつ調節された）、粉砕（乾式粉砕または湿式粉砕）および／または分級（例えば、篩別または選別）によって達成されうる。
【００１４】
意外なことに、本発明によるＴｉＯ2顔料の本発明による望ましい適合は、艶消しされた高分子材料中での望ましい青刺激の達成のために、アンチモンイオンの添加によってさらに改善されうることが見出された。本発明によれば、０．０５〜１質量％、特に０．１〜０．５質量％、特に有利に０．２５〜０．４質量％のアンチモンイオンの含量は、好ましい。本発明によれば、少なくとも５０％、有利に７０％を上廻る、特に有利に９０％を上廻るアンチモンイオンが顔料中に５価の酸化段階で存在することは、特に好ましい。
【００１５】
この本発明により得らればれたＴｉＯ2顔料により、艶消しされた高分子材料中で望ましい青刺激を達成することができ、この場合には、アンチモンイオンの含量によって、顔料の光学的粉末データー（色刺激）は、完成された高分子材料においても得られたままであり、およびポリマー製造における色障害の反応によって変化されず；アンチモンイオンは、あたかも"保存剤"として使用される。アンチモンは、アンチモン塩または酸化物のアンチモン化合物の形でＴｉＯ2製造の全ての処理工程で添加されてよい。
【００１６】
更に、ＴｉＯ2含有高分子材料の種々のポリマー系中への混入可能性を改善するため、および／またはＴｉＯ2含有高分子材料の光安定性を上昇させるために、本発明によるＴｉＯ2顔料は、無機的および／または有機的な表面処理によって変性されていてよい。ＴｉＯ2の無機的表面処理のために、本発明によれば、アルミニウム（Ａｌ）、珪素（Ｓｉ）、ジルコニウム（Ｚｒ）、マンガン（Ｍｎ）の酸化物および／または水酸化物が使用されるが、チタン（Ｔｉ）の酸化物および／または水酸化物が使用されてもよい。無機的表面処理は、本発明によれば、必ずしも酸化物の性質を有している必要はなく、別の陰イオンを含有していてもよい。例えば、アルミニウム、チタンおよびマンガンは、難溶性の燐酸塩を形成し、この燐酸塩は、同様に顔料表面に堆積される。本発明による表面処理は、粉砕されたＴｉＯ2材料の水性分散液が装入され、沈殿すべき化合物が最初に溶解された形で添加されるという原理を基礎とする。望ましい無機物質は、ｐＨ値の意図的な変化（例えば、苛性ソーダ液、硫酸または燐酸の添加によって）によりＴｉＯ2基礎材料上に沈殿される。即ち、本発明によれば、ＴｉＯ2粒子は、無機物質の１つの層または複数の層で被覆することができる。この場合、表面処理は、本発明によれば、順次に行なうことができるが、しかし、同時に行なってもよい。本発明による望ましい光安定性を達成させるために、無機的後処理は、有利にアルミニウム、珪素およびマンガンからなる組合せ物、特に有利にＡｌ１．０％、Ｓｉ０〜０．１％およびＭｎ０．０５〜０．８％からなる組合せ物を有する。後処理の量は、通常、使用されたＴｉＯ2基礎材料に対して陽イオンの質量％、例えばアルミニウム０．５％として記載される。本発明によれば、酸化段階＋２で５％を上廻る、特に有利に酸化段階＋２で１０％を上廻るマンガンが存在していることは、特に好ましい。
【００１７】
無機的表面処理されたＴｉＯ2顔料をなおいっそう良好に種々の使用媒体（例えば、水、エタンジオール、プロパンジオール、ポリアミド溶融液またはポリエステル溶融液）中に混入することができるようにするために、本発明によれば、ＴｉＯ2顔料は、付加的に少なくとも１つの有機物質で変性されてよい（有機的表面処理）。好ましくは、有機的表面処理は、１つ以上の次の物質：ポリグリコール（例えば、ポリエチレングリコールまたはポリプロピレングリコール、またはこれらからのコポリマー）、カルボン酸、カルボン酸のアルカリ金属塩、多価アルコール（例えば、トリメチロールプロパン、トリメチロールエタン、ペンタエリトリットまたはネオペンチルグリコール）、シラン、シロキサンおよびシロキサン誘導体、シリコーン油、ポリ燐酸塩のアルカリ金属塩、アミノアルコール、ポリ（メタ）アクリル酸の塩またはポリ（メタ）アクリレートコポリマー（例えば、ナトリウムポリアクリレート、カリウムポリアクリレートまたはアンモニウムポリアクリレート）を有する。有機表面処理剤の添加量（全体量）は、有利に０．０１〜８質量％、特に有利に０．０５〜４質量％、殊に有利に０．１〜１．５質量％である。
【００１８】
有機表面処理剤は、本発明によれば、全ての処理工程で無機表面処理剤の施与後または無機的表面処理されていないＴｉＯ2顔料の際に全ての処理工程でか焼後に添加されてよい。
【００１９】
ポリマー材料は、有利にポリエステル（例えば、ポリエチレンテレフタレート（ＰＥＴ）、ポリトリメチレンテレフタレート（ＰＴＴ）、ポリラクチド（ＰＬＡ））、ポリアミド（例えば、ＰＡ−６またはＰＡ−６，６）、ポリオレフィン（例えば、ポリエチレン（ＰＥ）またはポリプロピレン（ＰＰ））、ポリアクリルニトリル（ＰＡＮ）、ビスコース（ＣＶ）またはセルロースアセテート（ＣＡ）を含む。
【００２０】
本発明による高分子材料の形は、特定の形式に制限されるものではない。好ましくは、本発明による高分子材料は、合成繊維の形（例えば、フィラメント、ステーペル繊維またはフロック繊維）で存在する。高分子材料は、本発明によれば、フィルム、シートまたは成形部材の形で存在していてもよい。
【００２１】
本発明によれば、好ましくは、高分子材料中のＴｉＯ2含量は、０．０２〜１０質量％の範囲内にある。合成繊維の使用分野でＴｉＯ2含量は、本発明によれば、有利に０．１〜３質量％、特に有利に１．５〜２．７質量％、殊に有利に０．１５〜０．４質量％である。ポリマーフィルムの使用分野の場合、ＴｉＯ2含量は、本発明によれば、特に有利に０．１〜８質量％、殊に有利に０．４〜５質量％の範囲内にある。
【００２２】
本発明による高分子材料は、これまで使用されてきた添加剤ＴｉＯ2の代わりに本発明によるＴｉＯ2顔料を使用することにより製造されてよい。このＴｉＯ2顔料は、本発明によれば、公知方法で重合反応前、重合反応中および／または重合反応後に添加することができる。本発明によるＴｉＯ2顔料は、ポリマー製造処理に有利に水中の分散された懸濁液（ＰＡのため）またはエタンジオール中の分散された懸濁液（ＰＥＴのため）として添加される。所謂マスターバッチとしてのポリマー流または溶融液中で容易に分布しうる調製物としてのポリマー流への添加は、ポリマー処理で重合中に添加が許容されない（ＰＥまたはＰＰの場合）かまたは例えばメルトコンディショニング法（Melt Conditioning Verfahren）または直接艶消し法（Direktmattierungsverfahren）の場合（例えば、ＰＥＴまたはＰＡ−６の場合）のように、意図的に望ましい場合に有利に行なわれる。
【００２３】
本発明による高分子材料は、例えば衣類用織物または普段着用織物（Heimtextile）のための織物表面の形成の際に使用される。更に、本発明による高分子材料は、例えば高分子量のフィルムおよびシートの製造の際（例えば、包装用途または印刷用途のため）に使用される。
【００２４】
本発明の対象は、詳細には次の通りである：
ＴｉＯ2顔料；
アナターゼ変態で存在するＴｉＯ2顔料；
アナターゼ変態で存在し、吸光値で表わされる、顔料の比色的性質を調節するための特殊な粒子分布を示すＴｉＯ2顔料、この場合
吸光値は、０．９〜１．２の範囲内、有利に０．９５〜１．１の範囲内、特に有利に１．０〜１．０５の範囲内にあり；
上記したようなＴｉＯ2顔料、このＴｉＯ2顔料は、さらにアンチモンイオンを含有し、この場合
アンチモンイオンの含量は、０．０５〜１質量％、有利に０．１〜０．５質量％、特に有利に０．２５〜０．４質量％であり、
少なくとも５０％、有利に７０％を上廻る、特に有利に９０％を上廻るアンチモンイオンは、５価の酸化段階で存在し、
上記したようなＴｉＯ2顔料、このＴｉＯ2顔料は、さらに無機的表面処理に掛けられ、この場合
ＴｉＯ2粒子は、無機物質および／または有機物質の１つの層または複数の層で被覆され、この場合
無機物質としてアルミニウム（Ａｌ）、珪素（Ｓｉ）、ジルコニウム（Ｚｒ）、マンガン（Ｍｎ）またはチタン（Ｔｉ）の化合物が使用され、この場合には、有利に
アルミニウム（Ａｌ）、珪素（Ｓｉ）およびマンガン（Ｍｎ）の化合物からなる組合せ物が、好ましくはＡｌ０．２〜１．０％、Ｓｉ０〜１．０％およびＭｎ０．０５〜０．８％の量（使用されたＴｉＯ2基礎材料に対して陽イオンの質量％で記載された）で使用され、この場合
好ましくは、酸化段階＋２で５％を上廻る、特に有利に酸化段階＋２で１０％を上廻るマンガンが存在し、有機物質としてポリグリコール（例えば、ポリエチレングリコールまたはポリプロピレングリコール、またはこれらからのコポリマー）、カルボン酸、カルボン酸のアルカリ金属塩、多価アルコール（例えば、トリメチロールプロパン、トリメチロールエタン、ペンタエリトリットまたはネオペンチルグリコール）、シラン、シロキサンおよびシロキサン誘導体、シリコーン油、ポリ燐酸塩のアルカリ金属塩、アミノアルコール、ポリ（メタ）アクリル酸の塩またはポリ（メタ）アクリレートコポリマー（例えば、ナトリウムポリアクリレート、カリウムポリアクリレートまたはアンモニウムポリアクリレート）またはこれらの混合物が、有利に０．０１〜８質量％、特に有利に０．０５〜４質量％、殊に有利に０．１〜１．５質量％の量で使用される。
ＴｉＯ2顔料の製造法；
ＴｉＯ2顔料の使用；
高分子材料を製造するためのＴｉＯ2顔料の使用；
顔料で艶消しされた高分子材料；
顔料で艶消しされた高分子材料、この高分子材料は、次の群から選択された１つ以上の物質を含有する：ポリエステル、ポリトリメチレンテレフタレート、ポリラクチド、ポリアミド、ポリオレフィン、ポリアクリルニトリル、ビスコースまたはセルロースアセテート；
本発明によるＴｉＯ2顔料０．０２〜１０質量％を含有する、顔料で艶消しされた高分子材料；
合成繊維の使用分野で本発明によるＴｉＯ2顔料０．０２〜１０質量％、有利に０．１〜３質量％、特に有利に０．１５〜０．４質量％または１．５〜２．７質量％を含有する、顔料で艶消しされた高分子材料；
フィルムまたはシートの使用分野で本発明によるＴｉＯ2顔料０．０２〜１０質量％、有利に０．１〜８質量％、特に有利に０．４〜５質量％を含有する、顔料で艶消しされた高分子材料；
顔料で艶消しされた高分子材料の製造法；
顔料で艶消しされた高分子材料の製造法、この場合本発明によるＴｉＯ2顔料は、重合反応前、重合反応中および／または重合反応後に添加することができ；
顔料で艶消しされた高分子材料の製造法、この場合本発明によるＴｉＯ2顔料は、マスターバッチとして添加することができる；
顔料で艶消しされた高分子材料の製造法、この場合本発明によるＴｉＯ2顔料は、それぞれの溶融液中で容易に分布しうる調製物として添加することができ；
合成繊維を製造するための、顔料で艶消しされた高分子材料の使用；
織物表面を形成させるための、顔料で艶消しされた高分子材料の使用；
フィルムおよび／またはシートを製造するための、顔料で艶消しされた高分子材料の使用；
成形部材を製造するための、顔料で艶消しされた高分子材料の使用。
【国際調査報告】
2009539741.tif 000002
2009539741.tif 000003
2009539741.tif 000004
2009539741.tif 000005
2009539741.tif 000006
2009539741.tif 000007